(57)【要約】非対称の断面を有するパイプ端部（１４，２４，３４）へホース（１３，２３，３３）を接続するための固定具（１０，２０，３０）である。この固定具（１０，２０，３０）は、少なくとも二つの部分（１１及び１２，２１及び２２，３１及び３２）を具備し、これら二つの部分は、これらの二つの部分が共に設置される時に固定具（１０，２０，３０）がパイプ端部（１４，２４，３４）の断面と同じ形状を有するように形成される。この固定具（１０，２０，３０）はアルミニウム又はプラスチック材料から形成される。【選択図】図１
2004524491.tif 000002
【特許請求の範囲】
【請求項１】
非対称の断面を有するパイプ端部（１４，２４，３４）へホース（１３，２３，３３）を密着させて接続するための固定具（１０，２０，３０）であって、前記固定具（１０，２０，３０）は、前記ホース（１３，２３，３３）及び前記パイプ端部（１４，２４，３４）のほぼ周囲全体回りにおいて前記ホース（１３，２３，３３）及び前記パイプ端部（１４，２４，３４）へ圧力が提供されるように、前記固定具（１０，２０，３０）が前記パイプ端部（１４，２４，３４）の非対称の断面と同じ形状を有するように形成された少なくとも二つの部分（１１及び１２，２１及び２２，３１及び３２）を具備することを特徴とする固定具。
【請求項２】
前記固定具は二つの部分（１１及び１２、２１及び２２、３１及び３２）から成ることを特徴とする請求項１に記載の固定具（１０，２０，３０）。
【請求項３】
前記部分（１１及び１２、２１及び２２、３１及び３２）は強固であることを特徴とする請求項１又は２に記載の固定具（１０，２０，３０）。
【請求項４】
前記部分（１１及び１２、２１及び２２、３１及び３２）はアルミニウム又はプラスチック材料から形成されることを特徴とする請求項１、２、又は３に記載の固定具（１０，２０，３０）。
【請求項５】
前記部分（１１及び１２、２１及び２２、３１及び３２）は、一端部において互いに取り付け可能な形状であることを特徴とする請求項２に記載の固定具（１０，２０，３０）。
【請求項６】
前記部分の他端部は、前記固定具が前記ホース（１３，２３，３３）及び前記パイプ端部（１４，２４，３４）回りで押圧される時に、互いに固定される形状であることを特徴とする請求項６に記載の固定具（１０，２０，３０）。
【請求項７】
前記部分（１１及び１２、２１及び２２、３１及び３２）には、二つの前記部分が突出部（１５及び１６）を支持する工具によって共に押圧可能なように、前記突出部（１５及び１６）が設けられていることを特徴とする請求項７に記載の固定具（１０，２０，３０）。
【請求項８】
前記部分（１１及び１２、２１及び２２、３１及び３２）は矩形断面を有することを特徴とする請求項１から７のいずれかに記載の固定具（１０，２０，３０）。
【請求項９】
請求項１から１０のいずれかに記載の固定具（１０，２０，３０）の製造方法であって、
前記固定具（１０，２０，３０）の前記二つの部分（１１及び１２，２１及び２２，３１及び３２）の形状と等しい断面を有するアルミニウム又はプラスチックの二つの形状体を押出し成形する段階と、
前記形状体を前記固定具（１０．２０．３０）の所望幅と同じ長さで複数の部分に切断する段階とを有する製造方法。
【請求項１０】
前記固定具（１０，２０，３０）が、チェーンソーを駆動するエンジンにおけるシリンダの空気入口へホース（１３，２３，３３）を密着させて接続するために使用されることを特徴とする請求項１から８のいずれかに記載の固定具（１０，２０，３０）の使用方法。
【発明の詳細な説明】
【技術分野】
【０００１】
本発明は、パイプ端部へホースを固定するための固定具に関する。
【背景技術】
【０００２】
今日、市場には多数の異なる種類のホース固定具が存在している。特定の用途へ固定具を適合させるために、多数の異なる形態及び材料の公知の種類の固定具が入手可能である。固定具の材料は、例えば、プラスチック材料又は金属である。
【０００３】
種々の固定具の形状は、ネジ回しによって固定される一般的なホース固定具から、共に押圧される時に互いに引っ掛かる接続顎部によってホース回りを固定するプラスチック材料から形成された使い捨て可能な固定具へと変化している。第一の種類は、例えば、特許文献ＳＥ３０７７０８に、また、第二の種類は、例えば、特許文献ＵＳ１３６８０６８に図示及び説明されている。
【発明の開示】
【発明が解決しようとする課題】
【０００４】
しかしながら、市場で入手可能なホース固定具は、接続部が適当に密閉されるように非対称断面を有するパイプ端部へホースを取り付けることができない。この問題は、非対称形状のパイプ端部が、公知の固定具では、接続部が密閉されるようにホースとパイプ端部との周囲全体回りに圧力を提供することを不可能とすることである。これは、公知の固定具が、パイプ端部の非対称形状のために、接続部を密閉するのにホースの周囲の幾つかの部分だけしか十分な圧力をもたらさない結果である。
【０００５】
非対称断面を有するパイプ端部へホースを取り付けるための固定具は、従来において公知ではなく、また、図示されていない。製造が容易で、高温に耐え、また、作業者にとって取り付けが容易でなければならない固定具は、従来において公知ではない。固定具及び別々の部材を共に取り付ける人のための空間が制限されていても、ホース及びパイプ端部へ固定具を取り付けることが可能でなければならない。
【課題を解決するための手段】
【０００６】
請求の範囲において限定された特徴を有する固定具は、前述の問題を解決する。
【０００７】
新たな固定具は二つの異なる部材を具備している。二つの部材は二つの強固な部分であり、それらが互いに接続される時に、ホースが取り付けられるはずのパイプ端部の断面形状に適合する形状を有する固定具を形成するように二つの強固な部分は形成されている。固定具の形状は、パイプの断面に適合するように形成され、それにより、固定具はパイプ端部のほぼ周囲全体を密閉して位置する。
【０００８】
固定具がホースとパイプ端部との回りを固定する時に、これらの部分の形状はホースとパイプ端部へ提供される圧力をもたらす。この圧力は、パイプ端部が非対称断面を有していても、強固な部分のためにホースとパイプ端部とのほぼ周囲全体に沿って分散される。それにより、固定具は非対称のパイプ端部とホースとの間の確実な密閉を提供する。
【０００９】
この新たな固定具は、二つの部分の形状がパイプ端部の断面に適合するのに適しているために、多数の異なる断面にとって役に立つ。この新たな種類の固定具は、パイプ又はホースの周囲が凸形状部と凹形状部とを交互に有するとしても、二つの部分が特定の断面のための正確な形状を有する限りは、適当に機能する。
【００１０】
固定具の異なる部分は、一端部において、共に引っ掛け可能な形状である。後に、固定具は非対称のパイプ端部に設置されるホース回りに配置される。一方の部分は、他端部において、鉤のような形状であり、一方、他方の部分は端部において突出部が設けられている。固定具の二つの部分が適当な工具によってホース及びパイプ端部回りに共に押圧される時に、鉤部は突出部を固定し、それにより、固定具は閉じられる。
【発明の効果】
【００１１】
請求の範囲において限定された固定具は、容易に素早く取り付けられ、市場で入手可能な他のホース固定具に関して小型であり、これは、パイプ端部へホースを取り付けるための大きな空間を必要としないことを意味する。
【００１２】
請求の範囲の固定具によるもう一つの利点は、ホースがパイプ端部に設置される以前に固定具をホース回りに位置させなくても良いことであり、これは、取り付けの自由度を増大する。
【００１３】
本固定具は、例えば、チェーンソーにおいてエンジンシリンダの空気取り入れ口へホースを接続して密閉するためのように、空間が制限された状況における使用に適している。請求の範囲によって限定された固定具は、ネジによってシリンダ入口へ固定されるゴム製フランジがホース端部に設けられた場合の複雑な方法を、シリンダ入口へ接続された非対称のパイプ端部に設置されたホースによって置き換えることを可能とする。このホースは請求の範囲により限定されたような固定具によってパイプ端部へ固定され、それにより、ホースのほぼ周囲全体回りは圧力が提供される。
【００１４】
固定具の二つの部分は、高い強度を有して軽量のアルミニウム又はプレスチック材料から形成される。アルミニウムから形成された固定具は、固定具が高温に晒される場合の使用において都合が良い。
【００１５】
二つのアルミニウム又はプラスチックの部分は押出し成形により製造される。この製造は材料の加熱によって開始される。適当な温度に達した時に材料は型を通して押出され、それにより、部分の形状と同形状の形状体が形成される。製造を効率的にするために、同時に長い形状体が押出される。この形状体は、最終的に、固定具の幅と等しい長さで複数の部分に切断される。それにより、この固定具の製造は、速く非常に経済的である。
【発明を実施するための最良の形態】
【００１６】
請求の範囲の固定具の三つの異なる実施形態が図面に示されている。
【００１７】
固定具１０は、二つの異なる部分１１及び１２を具備している。これらの部分１１及び１２は、端部形状の一方が接続可能となっている。これは、他方の部分１２の一端部における凹部２０内に設置される一方の部分１１の突出部１９によって成される。次に、固定具１０は、非対称のパイプ端部１４に設置されるホース１３回りに配置される。ホース１３及び固定具１０が非対称のパイプ端部１４に関して適当な位置となる時に、固定具１０は第一部分１１の第一突出部１５と第二部分１２の第二突出部１６とを押圧する工具によって共に押圧される。第一部分１１には鉤部１７が設けられ、第二部分には第三突出部１８が設けられている。二つの部分１１及び１２が共に押圧される時に、鉤部１７は第三突出部１８へ取り付けられ、それにより、固定具１０はホース１３及び非対称のパイプ端部１４の回りに固定される。
【００１８】
二つの部分１１及び１２は、アルミニウム又はプラスチック材料を長い形状体へ押出し成形することによって製造される。この形状体は部分１１及び１２が所望の幅を得るように切断される。
【００１９】
図２には、固定具２０の第二実施形態が示されている。この固定具２０は依然として二つの部分２１及び２２を具備するが、この固定具２０は凸部及び凹部を交互に有する断面のパイプ端部２４へホース２３を固定するために形成されている。これらの二つの部分２１及び２２は第一実施形態と同様に互いに固定される。
【００２０】
図３に示した固定具３０の第三実施形態は、もう一つの種類の非対称の断面を有するパイプ端部３４へホース３３を固定するために形成されている。この固定具３０は、固定具３０がパイプ端部３４の断面と同じ形状を有するように形成された二つの部分３１及び３２を具備している。これらの二つの部分３１及び３２は第一実施形態と同様に互いに固定される。
【図面の簡単な説明】
【００２１】
【図１】固定具によって非対称のパイプ端部へ固定されたホースの断面を図示している。
【図２】周囲に凸部及び凹部を交互に有する非対称の断面へ固定されたホースの断面を図示している。
【図３】固定具によって非対称のパイプ端部へ固定されたホースの第三実施形態を図示している。
【国際公開パンフレット】
2004524491.tif 000003
2004524491.tif 000004
2004524491.tif 000005
2004524491.tif 000006
2004524491.tif 000007
2004524491.tif 000008
2004524491.tif 000009
2004524491.tif 000010
2004524491.tif 000011
2004524491.tif 000012
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
非対称の断面を有するパイプ端部（１４，２４，３４）へホース（１３，２３，３３）を密着させて接続するための固定具（１０，２０，３０）であって、前記固定具（１０，２０，３０）は、前記ホース（１３，２３，３３）及び前記パイプ端部（１４，２４，３４）のほぼ周囲全体回りにおいて前記ホース（１３，２３，３３）及び前記パイプ端部（１４，２４，３４）へ圧力が提供されるように、前記固定具（１０，２０，３０）が前記パイプ端部（１４，２４，３４）の非対称の断面と同じ形状を有するように形成された少なくとも二つの部分（１１及び１２，２１及び２２，３１及び３２）を具備することを特徴とする固定具。
【請求項２】
前記固定具は二つの部分（１１及び１２、２１及び２２、３１及び３２）から成ることを特徴とする請求項１に記載の固定具（１０，２０，３０）。
【請求項３】
前記部分（１１及び１２、２１及び２２、３１及び３２）は強固であることを特徴とする請求項１又は２に記載の固定具（１０，２０，３０）。
【請求項４】
前記部分（１１及び１２、２１及び２２、３１及び３２）はアルミニウム又はプラスチック材料から形成されることを特徴とする請求項１、２、又は３に記載の固定具（１０，２０，３０）。
【請求項５】
前記部分（１１及び１２、２１及び２２、３１及び３２）は、一端部において互いに取り付け可能な形状であることを特徴とする請求項２に記載の固定具（１０，２０，３０）。
【請求項６】
前記部分の他端部は、前記固定具が前記ホース（１３，２３，３３）及び前記パイプ端部（１４，２４，３４）回りで押圧される時に、互いに固定される形状であることを特徴とする請求項５に記載の固定具（１０，２０，３０）。
【請求項７】
前記部分（１１及び１２、２１及び２２、３１及び３２）には、二つの前記部分が突出部（１５及び１６）を支持する工具によって共に押圧可能なように、前記突出部（１５及び１６）が設けられていることを特徴とする請求項６に記載の固定具（１０，２０，３０）。
【請求項８】
前記部分（１１及び１２、２１及び２２、３１及び３２）は矩形断面を有することを特徴とする請求項１から７のいずれかに記載の固定具（１０，２０，３０）。
【請求項９】
請求項１から８のいずれかに記載の固定具（１０，２０，３０）の製造方法であって、
前記固定具（１０，２０，３０）の前記二つの部分（１１及び１２，２１及び２２，３１及び３２）の形状と等しい断面を有するアルミニウム又はプラスチックの二つの形状体を押出し成形する段階と、
前記形状体を前記固定具（１０．２０．３０）の所望幅と同じ長さで複数の部分に切断する段階とを有する製造方法。
【請求項１０】
チェーンソーを駆動するエンジンにおけるシリンダの空気入口へホース（１３，２３，３３）を密着させて接続するために請求項１から８のいずれかに記載の固定具（１０，２０，３０）を使用する使用方法。
【国際調査報告】
2004524491.tif 000013
2004524491.tif 000014